(57)【要約】【課題】劇薬を含む薬品庫などの鍵の掛け忘れを防止する。【解決手段】プッシュ式ロック装置Ｍは、シリンダー錠Ｓ１の施錠状態ではシリンダーケース２のロックピン２４とプラグ３のピン孔３２との係合によりシリンダーケース２内でプラグ３の動きが規制され、鍵孔３０に鍵が抜き差し自在となり、この施錠状態から鍵孔３０に鍵を差し込むことにより、シリンダーケース２内でプラグ３が回転可能となり、鍵の操作によりプラグ３を回転すると、ロックピン２４とピン孔３２との係合が解除されてシリンダー錠Ｓ１が解錠状態となり、鍵は鍵孔３０から引き抜き不可能となる。【選択図】図６
2015117499.tif 000002
【特許請求の範囲】
【請求項１】
一端にロックシャフト挿通穴を有し、他端が開口される略筒状のケースと、一端に前記ロックシャフト挿通穴に挿通可能なロックシャフトを有し、他端に鍵孔を有し、前記ケース内に前記ケースの軸方向に移動可能に収容されるシリンダー錠と、前記ケース内で前記ケースと前記シリンダー錠との間に前記シリンダー錠の一端を押圧付勢可能に配設され、常態として、前記シリンダー錠の他端側を前記ケースから突出し、前記シリンダー錠の前記ロックシャフトを前記ケース側に後退させるばね部材とを備え、引き違いに開閉される手前側及び奥側の扉のうちの、手前側の扉の所定の取付箇所に挿着固定されて、奥側の扉の所定の位置に形成されたロック穴に対して前記シリンダー錠の前記ロックシャフトを対向可能に配置され、手前側及び奥側の各扉が閉鎖位置に引かれた状態で、前記シリンダー錠の前記鍵孔に鍵を挿入して、前記シリンダー錠を前記ケース内に押し込むことにより前記ロックシャフトを奥側の扉の前記ロック穴に挿通し、前記鍵により前記シリンダー錠を施錠状態とすることにより手前側の扉と奥側の扉をロックするプッシュ式ロック装置において、
前記シリンダー錠は、
前記ケース内に前記ケースの軸方向に移動可能に嵌挿されるシリンダーケースと、
一端に前記ロックシャフトを有し、他端に前記鍵孔を有し、前記シリンダーケース内に回動可能に嵌挿されるプラグと、
前記シリンダーケース及び前記プラグ間に設けられるピン孔と、
前記シリンダーケースのピン孔に移動可能に配置されるとともにばね部材により前記プラグ側に押圧付勢されるロックピンと、
前記プラグのピン孔に移動可能に配置され、前記シリンダーケースのロックピンに弾性的に押圧されるドライバーピンと、
を備え、
前記シリンダー錠の施錠状態は、前記シリンダーケースのロックピンと前記プラグのピン孔が係合されて、前記シリンダーケース内での前記プラグの動きが規制され、この施錠状態で、前記鍵は前記鍵孔に抜き差し自在となり、
前記シリンダー錠の施錠状態から、前記鍵を前記鍵孔に差し込むことにより、前記シリンダーケース及び前記プラグの各ピン孔に配置される前記ロックピン及び前記ドライバーピンの境界合わせ面が前記シリンダーケースと前記プラグとの境界のシェアラインに一致されて、前記シリンダーケース内での前記プラグの動きが許容され、前記鍵の回転操作により前記プラグを回転することにより、前記シリンダーケースのロックピンと前記プラグのピン孔との係合が解除されて、前記シリンダー錠は解錠状態となり、この解錠状態で、前記鍵は前記鍵孔内で前記シリンダーケースの内周面に押え込まれる前記プラグのドライバーピンに係合されて、引き抜き不可能に拘束される、
ことを特徴とするプッシュ式ロック装置。
【請求項２】
一端にロックシャフト挿通穴を有し、他端が開口される略筒状のケースと、一端に前記ロックシャフト挿通穴に挿通可能なロックシャフトを有し、他端に鍵孔を有し、前記ケース内に前記ケースの軸方向に移動可能に収容されるシリンダー錠と、前記ケース内で前記ケースと前記シリンダー錠との間に前記シリンダー錠の一端を押圧付勢可能に配設され、常態として、前記シリンダー錠の他端側を前記ケースから突出し、前記シリンダー錠の前記ロックシャフトを前記ケース側に後退させるばね部材とを備え、引き違いに開閉される手前側及び奥側の扉のうちの、手前側の扉の所定の取付箇所に挿着固定されて、奥側の扉の所定の位置に形成されたロック穴に対して前記シリンダー錠の前記ロックシャフトを対向可能に配置され、手前側及び奥側の各扉が閉鎖位置に引かれた状態で、前記シリンダー錠の前記鍵孔に鍵を挿入して、前記シリンダー錠を前記ケース内に押し込むことにより前記ロックシャフトを奥側の扉の前記ロック穴に挿通し、前記鍵により前記シリンダー錠を施錠状態とすることにより手前側の扉と奥側の扉をロックするプッシュ式ロック装置において、
前記シリンダー錠は、
両端に開口を有する略筒状に形成され、前記ケース内に前記ケースの軸方向に移動可能に嵌挿されるシリンダーケースと、
一端に前記ロックシャフトを有し、他端に前記鍵孔を有する略筒状に形成され、前記シリンダーケース内に回動可能に嵌挿され、前記ロックシャフトが前記シリンダーケースの一端開口を通じ前記ケースの前記ロックシャフト挿通穴から突出されるプラグと、
前記シリンダーケース及び前記プラグ間に設けられるピン孔と、
前記シリンダーケースのピン孔に移動可能に配置されるとともにばね部材により前記プラグ側に押圧付勢されるロックピンと、
前記プラグのピン孔に移動可能に配置され、前記シリンダーケースのロックピンに弾性的に押圧されるドライバーピンと、
前記ケースの外周面の一端側から前記ケースの軸方向に沿って他端側に向けて所定の長さに形成される止めねじ軸方向ガイドスリットと、
前記シリンダーケースの前記止めねじ軸方向ガイドスリットの一端に臨むようにして前記シリンダーケースの外周面から前記シリンダーケースの軸方向に対して直角に前記シリンダーケースの内周面まで貫通形成されるねじ孔、及び前記プラグの外周面に前記ねじ孔と対向する位置を始端として周方向に所定の角度の略円弧状に形成される止めねじ周方向ガイド溝と、
前記シリンダーケースの前記ねじ孔にねじ締結され、一端を前記ケースの止めねじ軸方向ガイドスリットに係合され、他端が前記プラグの止めねじ周方向ガイド溝に係合される止めねじと、
前記ケースのロックシャフト挿通穴の縁部内周面に当該縁部内周面を開口して形成されるストッパーピン孔、及び前記プラグの外周面に前記ストッパーピン孔と対向する位置を始端として周方向に前記所定の角度と略同じ角度の略円弧状に形成される周方向溝と当該周方向溝の終端に連続しこの終端に対して直交して前記プラグの軸方向に沿って前記ロックシャフトの先端方向に形成される軸方向溝とからなる略Ｌ字形のストッパーピンガイド溝と、
前記ストッパーピン孔に移動可能に配置されるとともにばね部材により前記プラグ側に押圧付勢されて前記ストッパーピンガイド溝に弾性係合されるストッパーピンと、
を備え、
手前側の扉と奥側の扉とのロック状態は、前記ロックシャフトが前記ケースのロックシャフト挿通穴から突出して前記ロック穴に挿通された状態で、前記シリンダーケースのロックピンと前記プラグのピン孔との係合、前記シリンダーケースの止めねじと前記プラグの止めねじ周方向ガイド溝との当該止めねじ周方向ガイド溝の始端での係合、及び前記ケースのストッパーピンと前記プラグのストッパーピンガイド溝の周方向溝との当該周方向溝の始端での係合により、前記ケース内で前記シリンダー錠の回転及び前記プラグの軸方向の移動を規制され、
この手前側の扉と奥側の扉とのロック状態で、前記鍵は、前記鍵孔に抜き差し可能とし、
この手前側の扉と奥側の扉とのロック状態から、
前記鍵を前記シリンダー錠の前記鍵孔に挿入することで、前記シリンダーケース及び前記プラグの各ピン孔に配置される前記ロックピン及び前記ドライバーピンの境界合わせ面が前記シリンダーケースと前記プラグとの境界のシェアラインに一致して前記プラグが回動可能となり、前記プラグを、前記シリンダーケースの止めねじと前記プラグの止めねじ周方向ガイド溝との係合案内、及び前記ケースのストッパーピンと前記プラグのストッパーピンガイド溝の周方向溝との係合案内により、前記所定の角度まで回動することにより、前記ケースのストッパーピンが前記プラグのストッパーピンガイド溝の周方向溝の終端に達し、前記ケース内の前記シリンダー錠は、前記ケース内の前記ばね部材の付勢力と、前記ケースのストッパーピンと前記プラグのストッパーピンガイド溝の軸方向溝との係合案内、及び前記ケースの止めねじ軸方向ガイドスリットと前記止めねじとの係合案内により、前記シリンダー錠の他端部側が前記ケースの開口から突出されるとともに、前記シリンダー錠のロックシャフトが前記ケース側に後退されて、前記ロックシャフトと前記ロック穴とのロック状態が解除され、
このロックが解除された状態で、前記鍵は、前記鍵孔内で前記シリンダーケースの内周面に押え込まれる前記プラグのドライバーピンに係合し、引き抜き不可能に拘束される、
ことを特徴とするプッシュ式ロック装置。
【発明の詳細な説明】
【技術分野】
【０００１】
本発明は、医薬品を提供する病院で用いる薬品保管庫や化学薬品を取り扱う工場などで用いる薬品収納庫などスライド扉式（引き違いに開閉される手前側（前側）と奥側（後側）２枚の扉形式）のラックやキャビネットに使用するプッシュ式ロック装置に関する。
【背景技術】
【０００２】
一般に、病院、薬局に置かれる医薬品や、化学薬品を取り扱う工場に置かれる化学薬品には、劇薬などの厳重な管理が必要とされるものが含まれており、このため、これらの薬品は通常施錠された保管庫に収納されて管理される。
【０００３】
従来、このような薬品の保管庫にはスライド扉式のラックやキャビネットが用いられている。このスライド扉式のラックやキャビネットは手前側と奥側２枚の扉が引き違いに開閉される形式になっていて、この扉の施錠にはプッシュ式ロック装置が使用されることが多い。この種のプッシュ式ロック装置の一例が特許文献１に開示されている。
【０００４】
この文献１に記載されているように、この種のプッシュ式ロック装置は、一端にロックシャフト挿通穴を有し、他端が開口される略筒状のケースと、一端にロックシャフト挿通穴に挿通可能なロックシャフトを有し、他端に鍵孔を有し、ケース内にケースの軸方向に移動可能に収容されるシリンダー錠と、ケース内でケースとシリンダー錠との間にシリンダー錠の一端を押圧付勢可能に配設され、常態として、シリンダー錠の他端側をケースから突出し、シリンダー錠のロックシャフトをケース側に後退させるばね部材とを備え、ケースが手前側の扉の所定の取付箇所に挿着固定されて、奥側の扉の所定の位置に形成されたロック穴に対してシリンダー錠のロックシャフトが対向可能に配置される。このようにして、手前側及び奥側の各扉が閉鎖位置に引かれた状態で、シリンダー錠の鍵孔に鍵を挿入し、シリンダー錠をケース内に押し込むことによりロックシャフトを奥側の扉のロック穴に挿通し、鍵によりシリンダー錠を施錠状態とすることにより手前側の扉と奥側の扉をロックするようになっている。
【先行技術文献】
【特許文献】
【０００５】
【特許文献１】特開２００３−１３８８２２公報
【発明の概要】
【発明が解決しようとする課題】
【０００６】
しかしながら、従来のこの種のプッシュ式ロック装置にあっては、鍵をシリンダー錠の鍵孔に差し込むと、シリンダー錠を施錠する場合でも解錠する場合でも、鍵を鍵孔から抜き取ることができるため、シリンダー錠の施錠後と解錠後の鍵の在り方や取り扱い方に差異がなく、シリンダー錠を施錠したつもりで実は解除になっていたといった所謂鍵の掛け忘れが発生する恐れがある、という問題がある。特に、劇薬を含む医薬品や化学薬品を保管するラックやキャビネットの施錠は劇薬の盗難や紛失、不正使用などを防止するために管理上必要なことで、薬品を使用する都度施錠を解除し、薬品の使用後は即時施錠することが求められ、鍵の掛け忘れはあってはならない。
【０００７】
本発明は、このような従来の問題を解決するもので、この種のプッシュ式ロック装置において、施錠後と解錠後の鍵の在り方、取り扱い方に変化を付けて、鍵の掛け忘れを防止すること、を目的とする。
【課題を解決するための手段】
【０００８】
上記目的を達成するために、本発明（１）は、
一端にロックシャフト挿通穴を有し、他端が開口される略筒状のケースと、一端に前記ロックシャフト挿通穴に挿通可能なロックシャフトを有し、他端に鍵孔を有し、前記ケース内に前記ケースの軸方向に移動可能に収容されるシリンダー錠と、前記ケース内で前記ケースと前記シリンダー錠との間に前記シリンダー錠の一端を押圧付勢可能に配設され、常態として、前記シリンダー錠の他端側を前記ケースから突出し、前記シリンダー錠の前記ロックシャフトを前記ケース側に後退させるばね部材とを備え、引き違いに開閉される手前側及び奥側の扉のうちの、手前側の扉の所定の取付箇所に挿着固定されて、奥側の扉の所定の位置に形成されたロック穴に対して前記シリンダー錠の前記ロックシャフトを対向可能に配置され、手前側及び奥側の各扉が閉鎖位置に引かれた状態で、前記シリンダー錠の前記鍵孔に鍵を挿入して、前記シリンダー錠を前記ケース内に押し込むことにより前記ロックシャフトを奥側の扉の前記ロック穴に挿通し、前記鍵により前記シリンダー錠を施錠状態とすることにより手前側の扉と奥側の扉をロックするプッシュ式ロック装置において、
前記シリンダー錠は、
前記ケース内に前記ケースの軸方向に移動可能に嵌挿されるシリンダーケースと、
一端に前記ロックシャフトを有し、他端に前記鍵孔を有し、前記シリンダーケース内に回動可能に嵌挿されるプラグと、
前記シリンダーケース及び前記プラグ間に設けられるピン孔と、
前記シリンダーケースのピン孔に移動可能に配置されるとともにばね部材により前記プラグ側に押圧付勢されるロックピンと、
前記プラグのピン孔に移動可能に配置され、前記シリンダーケースのロックピンに弾性的に押圧されるドライバーピンと、
を備え、
前記シリンダー錠の施錠状態は、前記シリンダーケースのロックピンと前記プラグのピン孔が係合されて、前記シリンダーケース内での前記プラグの動きが規制され、この施錠状態で、前記鍵は前記鍵孔に抜き差し自在となり、
前記シリンダー錠の施錠状態から、前記鍵を前記鍵孔に差し込むことにより、前記シリンダーケース及び前記プラグの各ピン孔に配置される前記ロックピン及び前記ドライバーピンの境界合わせ面が前記シリンダーケースと前記プラグとの境界のシェアラインに一致されて、前記シリンダーケース内での前記プラグの動きが許容され、前記鍵の回転操作により前記プラグを回転することにより、前記シリンダーケースのロックピンと前記プラグのピン孔との係合が解除されて、前記シリンダー錠は解錠状態となり、この解錠状態で、前記鍵は前記鍵孔内で前記シリンダーケースの内周面に押え込まれる前記プラグのドライバーピンに係合されて、引き抜き不可能に拘束される、
ことを要旨とする。
【０００９】
上記目的を達成するために、本発明（２）は、
一端にロックシャフト挿通穴を有し、他端が開口される略筒状のケースと、一端に前記ロックシャフト挿通穴に挿通可能なロックシャフトを有し、他端に鍵孔を有し、前記ケース内に前記ケースの軸方向に移動可能に収容されるシリンダー錠と、前記ケース内で前記ケースと前記シリンダー錠との間に前記シリンダー錠の一端を押圧付勢可能に配設され、常態として、前記シリンダー錠の他端側を前記ケースから突出し、前記シリンダー錠の前記ロックシャフトを前記ケース側に後退させるばね部材とを備え、引き違いに開閉される手前側及び奥側の扉のうちの、手前側の扉の所定の取付箇所に挿着固定されて、奥側の扉の所定の位置に形成されたロック穴に対して前記シリンダー錠の前記ロックシャフトを対向可能に配置され、手前側及び奥側の各扉が閉鎖位置に引かれた状態で、前記シリンダー錠の前記鍵孔に鍵を挿入して、前記シリンダー錠を前記ケース内に押し込むことにより前記ロックシャフトを奥側の扉の前記ロック穴に挿通し、前記鍵により前記シリンダー錠を施錠状態とすることにより手前側の扉と奥側の扉をロックするプッシュ式ロック装置において、
前記シリンダー錠は、
両端に開口を有する略筒状に形成され、前記ケース内に前記ケースの軸方向に移動可能に嵌挿されるシリンダーケースと、
一端に前記ロックシャフトを有し、他端に前記鍵孔を有する略筒状に形成され、前記シリンダーケース内に回動可能に嵌挿され、前記ロックシャフトが前記シリンダーケースの一端開口を通じ前記ケースの前記ロックシャフト挿通穴から突出されるプラグと、
前記シリンダーケース及び前記プラグ間に設けられるピン孔と、
前記シリンダーケースのピン孔に移動可能に配置されるとともにばね部材により前記プラグ側に押圧付勢されるロックピンと、
前記プラグのピン孔に移動可能に配置され、前記シリンダーケースのロックピンに弾性的に押圧されるドライバーピンと、
前記ケースの外周面の一端側から前記ケースの軸方向に沿って他端側に向けて所定の長さに形成される止めねじ軸方向ガイドスリットと、
前記シリンダーケースの前記止めねじ軸方向ガイドスリットの一端に臨むようにして前記シリンダーケースの外周面から前記シリンダーケースの軸方向に対して直角に前記シリンダーケースの内周面まで貫通形成されるねじ孔、及び前記プラグの外周面に前記ねじ孔と対向する位置を始端として周方向に所定の角度の略円弧状に形成される止めねじ周方向ガイド溝と、
前記シリンダーケースの前記ねじ孔にねじ締結され、一端を前記ケースの止めねじ軸方向ガイドスリットに係合され、他端が前記プラグの止めねじ周方向ガイド溝に係合される止めねじと、
前記ケースのロックシャフト挿通穴の縁部内周面に当該縁部内周面を開口して形成されるストッパーピン孔、及び前記プラグの外周面に前記ストッパーピン孔と対向する位置を始端として周方向に前記所定の角度と略同じ角度の略円弧状に形成される周方向溝と当該周方向溝の終端に連続しこの終端に対して直交して前記プラグの軸方向に沿って前記ロックシャフトの先端方向に形成される軸方向溝とからなる略Ｌ字形のストッパーピンガイド溝と、
前記ストッパーピン孔に移動可能に配置されるとともにばね部材により前記プラグ側に押圧付勢されて前記ストッパーピンガイド溝に弾性係合されるストッパーピンと、
を備え、
手前側の扉と奥側の扉とのロック状態は、前記ロックシャフトが前記ケースのロックシャフト挿通穴から突出して前記ロック穴に挿通された状態で、前記シリンダーケースのロックピンと前記プラグのピン孔との係合、前記シリンダーケースの止めねじと前記プラグの止めねじ周方向ガイド溝との当該止めねじ周方向ガイド溝の始端での係合、及び前記ケースのストッパーピンと前記プラグのストッパーピンガイド溝の周方向溝との当該周方向溝の始端での係合により、前記ケース内で前記シリンダー錠の回転及び前記プラグの軸方向の移動を規制され、
この手前側の扉と奥側の扉とのロック状態で、前記鍵は、前記鍵孔に抜き差し可能とし、
この手前側の扉と奥側の扉とのロック状態から、
前記鍵を前記シリンダー錠の前記鍵孔に挿入することで、前記シリンダーケース及び前記プラグの各ピン孔に配置される前記ロックピン及び前記ドライバーピンの境界合わせ面が前記シリンダーケースと前記プラグとの境界のシェアラインに一致して前記プラグが回動可能となり、前記プラグを、前記シリンダーケースの止めねじと前記プラグの止めねじ周方向ガイド溝との係合案内、及び前記ケースのストッパーピンと前記プラグのストッパーピンガイド溝の周方向溝との係合案内により、前記所定の角度まで回動することにより、前記ケースのストッパーピンが前記プラグのストッパーピンガイド溝の周方向溝の終端に達し、前記ケース内の前記シリンダー錠は、前記ケース内の前記ばね部材の付勢力と、前記ケースのストッパーピンと前記プラグのストッパーピンガイド溝の軸方向溝との係合案内、及び前記ケースの止めねじ軸方向ガイドスリットと前記止めねじとの係合案内により、前記シリンダー錠の他端部側が前記ケースの開口から突出されるとともに、前記シリンダー錠のロックシャフトが前記ケース側に後退されて、前記ロックシャフトと前記ロック穴とのロック状態が解除され、
このロックが解除された状態で、前記鍵は、前記鍵孔内で前記シリンダーケースの内周面に押え込まれる前記プラグのドライバーピンに係合し、引き抜き不可能に拘束される、
ことを要旨とする。
【発明の効果】
【００１０】
本発明（１）のプッシュ式ロック装置によれば、シリンダー錠の施錠状態は、シリンダーケースのロックピンとプラグのピン孔が係合されて、シリンダーケース内でのプラグの動きが規制され、この施錠状態で、鍵は鍵孔に抜き差し自在となり、このシリンダー錠の施錠状態から、鍵を鍵孔に差し込むことにより、シリンダーケース及びプラグの各ピン孔に配置されるロックピン及びドライバーピンの境界合わせ面がシリンダーケースとプラグとの境界のシェアラインに一致されて、シリンダーケース内でのプラグの動きが許容され、鍵の回転操作によりプラグを回転することにより、シリンダーケースのロックピンとプラグのピン孔との係合が解除されて、シリンダー錠は解錠状態となり、この解錠状態で、鍵は鍵孔内でシリンダーケースの内周面に押え込まれるプラグのドライバーピンに係合されて、引き抜き不可能に拘束されるので、シリンダー錠の施錠後は鍵孔から鍵を抜くことができ、シリンダー錠の解錠後は鍵孔から鍵が抜くことができなくなり、シリンダー錠に鍵が残っている限り、シリンダー錠は解錠状態になっていることが視覚的に明確となり、鍵の掛け忘れを確実に防止することができる、という本発明独自の格別な効果を奏する。
【００１１】
本発明（２）のプッシュ式ロック装置によれば、手前側の扉と奥側の扉とのロック状態は、ロックシャフトがケースのロックシャフト挿通穴から突出してロック穴に挿通された状態で、シリンダーケースのロックピンとプラグのピン孔との係合、シリンダーケースの止めねじとプラグの止めねじ周方向ガイド溝とのこの止めねじ周方向ガイド溝の終端での係合、及びケースのストッパーピンとプラグのストッパーピンガイド溝の周方向溝とのこの周方向溝の終端での係合により、ケース内でシリンダー錠の回転及びプラグの軸方向の移動を規制され、この手前側の扉と奥側の扉とのロック状態で、鍵は、鍵孔に抜き差し可能とし、この手前側の扉と奥側の扉とのロック状態から、鍵をシリンダー錠の鍵孔に挿入することで、プラグが回動可能となり、プラグを、シリンダーケースの止めねじとプラグの止めねじ周方向ガイド溝との係合案内、及びケースのストッパーピンとプラグのストッパーピンガイド溝の周方向溝との係合案内により、所定の角度まで回動することにより、ケースのストッパーピンがプラグのストッパーピンガイド溝の周方向溝の始端に達し、ケース内のシリンダー錠は、ケース内のばね部材の付勢力と、ケースのストッパーピンとプラグのストッパーピンガイド溝の軸方向溝との係合案内、及びケースの止めねじ軸方向ガイドスリットと止めねじとの係合案内により、シリンダー錠の他端部側がケースの開口から突出されるとともに、シリンダー錠のロックシャフトがケース側に後退されて、ロックシャフトとロック穴とのロック状態が解除され、このロックが解除された状態で、鍵は、鍵孔内でシリンダーケースの内周面に押え込まれるプラグのドライバーピンに係合し、引き抜き不可能に拘束されるので、手前側の扉と奥側の扉がロックされている状態ではシリンダー錠の鍵孔から鍵を抜くことができ、手前側の扉と奥側の扉とのロックが解除されている状態ではシリンダー錠の鍵孔から鍵を抜くことができなくなり、シリンダー錠の鍵孔に鍵が残っている限り、手前側の扉と奥側の扉とのロックが解除されている状態が視覚的に明確となり、鍵の掛け忘れを確実に防止することができる、という本発明独自の格別な効果を奏する。
【図面の簡単な説明】
【００１２】
【図１】本発明の一実施の形態におけるプッシュ式ロック装置の全体構成を示す図（（ａ）は同装置の平面断面図（ｂ）は同装置の側面断面図（ｃ）は同装置の正面断面図（ｄ）は同装置に用いる鍵の側面図）
【図２】同装置の特にケースの構成を示す図（（ａ）は平面図（ｂ）は側面断面図（ｃ）は背面図）
【図３】同装置の特にシリンダーケースの構成を示す図（（ａ）は平面図（ｂ）は側面断面図（ｃ）は背面図）
【図４】同装置の特にプラグの構成を示す図（（ａ）は平面図（ｂ）は側面図（ｃ）は正面図）
【図５】同装置をスライド扉に取り付けた状態、並びに同装置によるスライド扉のロック状態及びロック解除状態を示す図（（ａ）はスライド扉のロック状態を示す図（ｂ）はスライド扉のロック解除状態を示す図）
【図６】同装置により手前側の扉と奥側の扉とをロックしたときの同装置の施錠状態を示す図（（ａ）は正面断面図（ｂ）は側面断面図）
【図７】同装置により手前側の扉と奥側の扉とのロック状態を解除する手順を示す図（同装置による手前側の扉と奥側の扉とのロック状態を示す図（（ａ）は正面図（ｂは側面図））
【図８】同装置により手前側の扉と奥側の扉とのロック状態を解除する手順を示す図（同装置による手前側の扉と奥側の扉とのロック状態を示す図（（ａ）は正面断面図図（ｂ）は側面断面図））
【図９】同装置により手前側の扉と奥側の扉とのロック状態を解除する手順を示す図（同装置による手前側の扉と奥側の扉とのロック解除状態を示す図（（ａ）は正面図（ｂ）は側面図））
【図１０】同装置により手前側の扉と奥側の扉とのロック状態を解除する手順を示す図（同装置による手前側の扉と奥側の扉とのロックを解除しようとする状態を示す図（（ａ）は正面断面図（ｂ）は側面断面図））
【図１１】同装置により手前側の扉と奥側の扉とのロック状態を解除する手順を示す図（同装置による手前側の扉と奥側の扉とのロック解除前及び解除後を示す図（（ａ）は解除前の平面断面図（ｂ）は解除後の平面断面図））
【図１２】同装置により手前側の扉と奥側の扉とのロック状態を解除する手順を示す図（同装置により手前側の扉と奥側の扉とのロックを解除した状態を示す図（側面断面図）
【図１３】同装置により手前側の扉と奥側の扉とのロック状態を解除する手順を示す図（同装置により手前側の扉と奥側の扉とのロックを解除した状態を示す図（（ａ）は正面断面図（ｂ）は側面断面図）
【図１４】同装置により手前側の扉と奥側の扉とをロック状態にする手順を示す図（（ａ）は同装置により手前側の扉と奥側の扉とのロックを解除した状態を示す側面断面図（ｂ）は同装置により手前側の扉と奥側の扉とをロックした状態を示す側面断面図）
【発明を実施するための形態】
【００１３】
次に、この発明を実施するための形態について図を用いて説明する。図１はプッシュ式ロック装置の全体構成を示し、図２、図３及び図４は同装置の各部の構成を示している。図５は同装置をスライド扉に取り付けた状態、並びに同装置によるスライド扉のロック状態及びロック解除状態を示している。
【００１４】
図１に示すように、プッシュ式ロック装置Ｍは、一端にロックシャフト挿通穴１０を有し、他端が開口される略筒状のケース１と、一端にロックシャフト挿通穴１０に挿通可能なロックシャフト３１を有し、他端に鍵孔３０を有し、ケース１内にこのケース１の軸方向に移動可能に収容されるシリンダー錠Ｓ１と、ケース１内でケース１とシリンダー錠Ｓ１との間にこのシリンダー錠Ｓ１の一端を押圧付勢可能に配設され、常態として、シリンダー錠Ｓ１の他端側をケース１から突出させるとともにシリンダー錠Ｓ１のロックシャフト３１をケース１側に後退させるためのばね部材４とを備える。
なお、図１中、符号Ｋはこのプッシュ式ロック装置Ｍのシリンダー錠Ｓ１の施錠、解錠に使用する鍵である。
【００１５】
ケース１は、図２に示すように、全体が略円筒形をなす。一端面１１は外周面１７よりも肉厚に形成されて、その中心に対して偏芯した位置、この場合、一端面１１の中心よりも少し下方に変位した位置にロックシャフト挿通穴１０がロックシャフト３１の外径よりも僅かに大きい所定の径の円形に形成される。さらにこのロックシャフト挿通穴１０の縁部内周面には、この場合、上縁部内周面にその縁部内周面を開口して孔１２（以下、ストッパーピン孔１２という。）が所定の径と深さに形成され、このストッパーピン孔１２に有底筒状のストッパーピン１３がばね部材１４を介して移動可能に配置され、後述のプラグ３側に押圧付勢される（図１参照）。ケース１の他端面１６は全面が開口される。また、この場合、ケース１の一端面１１がスライド扉への固定部になっていて、この一端面１１においてロックシャフト挿通穴１０よりも少し上方で左右両側にそれぞれねじ挿通部１５が形成され、さらに、外周面１７の一部、この場合、外周面１７上部で一端面１１に近接する一端側からケース１の軸方向に沿って他端側に向けて所定の長さにスリット１８（以下、止めねじ軸方向ガイドスリット１８という。）が形成される。
【００１６】
シリンダー錠Ｓ１は、図１に示すように、両端に開口２０を有する略筒状に形成され、ケース１内にこのケース１の軸方向に移動可能に嵌挿されるシリンダーケース２と、一端にロックシャフト３１を有し、他端に鍵孔３０を有する略筒状に形成され、シリンダーケース２内に回動可能に嵌挿されて、ロックシャフト３１がシリンダーケース２の一端開口２０を通じてケース１のロックシャフト挿通穴１０から突出されるプラグ３と、シリンダーケース２及びプラグ３間に設けられるピン孔２２，３２と、シリンダーケース２のピン孔２２に移動可能に配置されるとともにばね部材２３によりプラグ３側に押圧付勢されるロックピン２４と、プラグ３のピン孔３２に移動可能に配置され、シリンダーケース２のロックピン２４に弾性的に押圧されるドライバーピン３４と、既述のケース外周面１７の止めねじ軸方向ガイドスリット１８と、シリンダーケース２の止めねじ軸方向ガイド溝１８の一端に臨むようにしてシリンダーケース２の外周面からシリンダーケース２の軸方向に対して直角にシリンダーケース２の内周面まで貫通形成されるねじ孔２５、及びプラグ３の外周面にねじ孔２５と対向する位置を始端として周方向に所定の角度の略円弧状に形成される溝３５（以下、止めねじ周方向ガイド溝３５という。）と、シリンダーケース２のねじ孔２５にねじ締結され、一端をケース１の止めねじ軸方向ガイドスリット１８に係合され、他端がプラグ３の止めねじ周方向ガイド溝３５に係合される止めねじ２６と、既述のケース１のロックシャフト挿通穴１０の縁部内周面のストッパーピン孔１２、及びプラグ３の外周面にストッパーピン孔１２と対向する位置を始端として周方向に前記所定の角度と略同じ角度の略円弧状に形成される溝３６１（以下、周方向溝３６１という。）とこの周方向溝３６１の始端に連続しこの始端に対して直交してプラグ３の軸方向に沿ってロックシャフト３１の先端方向に形成される溝３６２（以下、軸方向溝３６２という。）とからなる略Ｌ字形の溝３６（以下、ストッパーピンガイド溝３６という。）と、ストッパーピン孔１２に移動可能に配置されるとともにばね部材１４によりプラグ３側に押圧付勢されてストッパーピンガイド溝３６に弾性係合されるストッパーピン１３とを具備する。
【００１７】
この場合、シリンダーケース２は、図３に示すように、ケース１内に嵌挿可能に、このケース１内の軸方向の長さと略同じ長さでケース１の内径よりも僅かに小さい外径の、両端に開口２０を有する略円筒状に形成される。また、このシリンダーケース２は両端開口２０及び各開口２０間の中空部２１がこのシリンダーケース２の軸芯に対して偏芯した位置、この場合、軸芯よりも少し下方に偏芯した位置にプラグ３が嵌挿可能に所定の径の断面円形に形成され、中空部２１の上部側が他の部位よりも肉厚になっている。ピン孔２２はこのシリンダーケース２の肉厚の上部で軸方向中間部に軸方向に２箇所、中空部２１の内周面を開口して軸方向に対して直角に形成される。これらのピン孔２２にそれぞれ、有底筒状のロックピン２４がばね部材２３としてコイルスプリングを介装してプラグ３のピン孔３２に移動可能に取り付けられる（図１参照）。ねじ孔２５はこのシリンダーケース２の一端側でケース１の止めねじ軸方向ガイドスリット１８の一端に対応する位置に外周面からシリンダーケース２の軸方向に対して直角に内周面まで貫通して形成される。このねじ孔２５に止めねじ２６が締結されて、止めねじ２６一端の頭部がケース１の止めねじ軸方向ガイドスリット１８に係合される。また、このシリンダーケース２には、中空部２１の上部側でピン孔２２、ねじ孔２５の傍らに、一端面２０１を開口して軸方向に沿って所定の長さにばね部材４を圧縮保持するための孔２０２（以下、スプリング孔２０２という。）が形成される。このスプリング孔２０２にガイドピン２０３を介してばね部材４としてコイルスプリングが挿入されて、その一端がケース１の一端面１１の内面側でロックシャフト挿通穴１０の周囲に弾性的に当接される。
このようにしてシリンダーケース２は、図１に示すように、ケース１内にこのケース１の軸方向に移動可能に嵌挿される。
プラグ３は、図４に示すように、シリンダーケース２の中空部２１の長さよりも長く、中空部２１の内径よりも僅かに小さい外径の略円筒状の充実軸からなり、先端側の略半分の範囲がロックシャフト３１として形成され、基端側の略半分の範囲に基端面の左右方向中央から先端方向に向けて鍵孔３０が形成される。ピン孔３２は、シリンダーケース２のピン孔２２に対応して、プラグ３の外周面上部で軸方向中間部に軸方向に２箇所、軸方向に対して直角に鍵孔３０の一部に交差して形成される。これらのピン孔３２にそれぞれ、同径で長さの異なるドライバーピン３４が上下方向に移動可能に配置され、シリンダーケース２のロックピン２４により弾性的に押圧される（図１参照）。止めねじ周方向ガイド溝３５は、シリンダーケース２のねじ孔２５に対応して、プラグ３の外周面上部で軸方向中間部に、ねじ孔２５と対向する位置を始端として周方向に、この場合、プラグ３を鍵孔３０側から見て左方向に５５度の角度範囲に略円弧状に形成される。この止めねじ周方向ガイド溝３５に止めねじ２６他端の軸部先端側が係合される。ストッパーピンガイド溝３６は周方向溝３６１がプラグ３の外周面上部にストッパーピン孔１２と対向する位置を始端として周方向に、この場合、プラグ３を鍵孔３０側から見て左方向に５５度の角度範囲に略円弧状に形成され、軸方向溝３６２がこの周方向溝３６１の終端に対して連通し直交してプラグ３の軸方向に沿ってロックシャフト３１の先端方向に所定の長さに形成され、全体として平面視略Ｌ字形に連続的に形成される。このストッパーピンガイド溝３６にケース１のロックシャフト挿通穴１０のストッパーピン１３が弾性的に係合される（図１参照）。
このようにしてプラグ３は、図１に示すように、シリンダーケース２内に回動可能に嵌挿され、ロックシャフト３１がシリンダーケース２の一端開口２０を通じてケース１のロックシャフト挿通穴１０から突出される。
【００１８】
そして、このプッシュ式ロック装置Ｍは、図５に示すように、スライド扉Ｄ（引き違いに開閉される手前側及び奥側の扉ｄ１，ｄ２のうち）の、手前側（前側）の扉ｄ１の所定の取付箇所に挿着固定されて、奥側（後側）の扉ｄ２の所定の位置に形成されたロック穴Ｐに対してシリンダー錠Ｓ１のロックシャフト３１を対向可能に配置され、手前側及び奥側の各扉ｄ１，ｄ２が閉鎖位置に引かれた状態で、シリンダー錠Ｓ１の鍵孔３０に鍵Ｋを挿入して、シリンダー錠Ｓ１をケース１内に押し込むことによりロックシャフト３１を奥側の扉ｄ２のロック穴Ｐに挿通し、鍵Ｋによりシリンダー錠Ｓ１を施錠状態とすることにより手前側の扉ｄ１と奥側の扉ｄ２をロックするようになっている。
図６に手前側の扉ｄ１と奥側の扉ｄ２とをロックしたときのプッシュ式ロック装置Ｍの状態、すなわちプッシュ式ロック装置Ｍの施錠状態を示している。図６に示すように、このプッシュ式ロック装置Ｍでは、手前側の扉ｄ１と奥側の扉ｄ２とのロック状態（図５（ａ）参照）は、ロックシャフト３１がケース１のロックシャフト挿通穴１０から突出してロック穴Ｐ（図５（ｂ）参照）に挿通された状態で、シリンダーケース２のロックピン２４とプラグ３のピン孔３２との係合、シリンダーケース２の止めねじ２６とプラグ３の止めねじ周方向ガイド溝３５とのこの周方向ガイド溝３５の始端での係合、及びケース１のストッパーピン１３とプラグ３のストッパーピンガイド溝３６の周方向溝３６１とのこの周方向溝３６１の始端での係合により、ケース１内でシリンダー錠Ｓ１の回転及びプラグ３の軸方向の移動を規制される。また、この手前側の扉ｄ１と奥側の扉ｄ２とのロック状態では、シリンダーケース２のピン孔２２とプラグ３のピン孔３２が連通されることで、鍵Ｋが鍵孔３０に抜き差し可能となる。
【００１９】
図７乃至図１３にこの手前側の扉と奥側の扉とのロック状態を解除する手順を示し、図１４にこの手前側の扉と奥側の扉とをまたロック状態にする手順を示している。この手前側の扉と奥側の扉とのロック状態を解除する場合、まず、図７に示すように、鍵Ｋをシリンダー錠Ｓ１の鍵孔３０に挿入する。これにより、図８に示すように、鍵Ｋのブレードｋ１の形状に合わせてプラグ３の各ピン孔３２の各ドライバーピン３４が押し上げられて、シリンダーケース２及びプラグ３の各ピン孔２２、３２に配置されるロックピン２４とドライバーピン３４との境界合わせ面がシリンダーケース２とプラグ３との境界のシェアラインＬに一致してプラグ３が回動可能となる。次いで、図９、図１０に示すように、鍵Ｋの回転操作により、プラグ３を、シリンダーケース２の止めねじ２６とプラグ３の止めねじ周方向ガイド溝３５との係合案内、及びケース１のストッパーピン１３とプラグ３のストッパーピンガイド溝３６の周方向溝３６１との係合案内により、所定の角度、この場合、時計回り方向に５５度回動することにより、ケース１のストッパーピン１３がプラグ３のストッパーピンガイド溝３６の周方向溝３６１の終端に達し、これと同時に、図１１、図１２に示すように、ケース１内のシリンダー錠Ｓ１は、ケース１内のコイルスプリング１４の付勢力と、ケース１のストッパーピン１３とプラグ３のストッパーピンガイド溝３６の軸方向溝３６２との係合案内、及びケース１の止めねじ軸方向ガイドスリット１８と止めねじ２６との係合案内により、シリンダー錠Ｓ１の回転が規制されながらシリンダー錠Ｓ１の他端部側がケース１の開口から突出されるとともに、シリンダー錠Ｓ１のロックシャフト３１がケース１側に後退し収納されて、ロックシャフト３１とロック穴Ｐとのロック状態が解除される。このロックが解除された状態で、鍵Ｋは、図１３に示すように、鍵孔３０内でシリンダーケース２の内周面に押え込まれるプラグ３のドライバーピン３４に係合し、引き抜き不可能に拘束される（すなわち、鍵Ｌを引き抜こうとしても、鍵Ｋのブレードｋ１が各ドライバーピン３４を押し上げようとするが、これがシリンダーケース２の中空部２１内周の壁面に阻止されるため、鍵Ｋを引き抜くことができない。
そして、この状態からまた、手前側の扉と奥側の扉とをロックする場合は、図１４（ａ）に示すように、鍵Ｋにより、シリンダー錠Ｓ１を、コイルスプリング１４の付勢力（図１１参照）に抗して、またケース１のストッパーピン１３とプラグ３のストッパーピンガイド溝３６の軸方向溝３６２との係合案内、及びケース１の止めねじ軸方向ガイドスリット１８と止めねじ２６との係合案内により、ケース１内に押し込むことにより、ロックシャフト３１を奥側の扉のロック穴に挿通し、鍵Ｋによりシリンダー錠Ｓ１を施錠状態とすることにより、すなわち、図１４（ｂ）に示すように、鍵Ｋにより、プラグ３を、シリンダーケース２の止めねじ２６とプラグ３の止めねじ周方向ガイド溝３５との係合案内、及びケース１のストッパーピン１３とプラグ３のストッパーピンガイド溝３６の周方向溝３６１との係合案内により、所定の角度、この場合、反時計回り方向に５５度回動する（つまり、元の位置に戻す）ことにより、ケース１のストッパーピン１３がプラグ３のストッパーピンガイド溝３６の周方向溝３６１の始端に達し、シリンダーケース２のロックピン２４とプラグ３のピン孔３２との係合、シリンダーケース２の止めねじ２６とプラグ３の止めねじ周方向ガイド溝３５とのこの周方向ガイド溝３５の始端での係合、及びケース１のストッパーピン１３とプラグ３のストッパーピンガイド溝３６の周方向溝３６１とのこの周方向溝３６１の始端での係合により、ケース１内でシリンダー錠Ｓ１の回転及びプラグ３の軸方向の移動を規制され、これにより、手前側の扉と奥側の扉がロックされる。この手前側の扉と奥側の扉とのロック状態では、シリンダーケース２及びプラグ３の各ピン孔２２，３２に配置されるロックピン２４とドライバーピン３４との境界合わせ面がシリンダーケース２とプラグ３との境界のシェアラインＬに一致するため、鍵Ｋを引き抜こうとすれば、鍵Ｋのブレードｋ１の形状に合わせてプラグ３の各ピン孔３２の各ドライバーピン３４が押し上げられて、鍵Ｋを鍵孔３０から引き抜くことができ、また、鍵Ｋを鍵孔３０に差し込めば、鍵Ｋのブレード３１の形状に合わせてプラグ３の各ピン孔３２の各ドライバーピン３４が押し上げられて、鍵Ｋは鍵孔３０に挿入される。すなわち、鍵Ｋは鍵孔３０に抜き差し可能となる。
【００２０】
以上説明したように、このプッシュ式ロック装置Ｍでは、シリンダー錠Ｓ１の施錠状態は、シリンダーケース２のロックピン２４とプラグ３のピン孔３２が係合されて、シリンダーケース２内でのプラグ３の動きが規制され、この施錠状態で、鍵Ｋは鍵孔３０に抜き差し自在となり、このシリンダー錠Ｓ１の施錠状態から、鍵Ｋを鍵孔３０に差し込むことにより、シリンダーケース２及びプラグ３の各ピン孔２２，３２に配置されるロックピン２４及びドライバーピン３４の境界合わせ面がシリンダーケース２とプラグ３との境界のシェアラインＬに一致されて、シリンダーケース２内でのプラグ３の動きが許容され、鍵Ｋの回転操作によりプラグ３を回転することにより、シリンダーケース２のロックピン２４とプラグ３のピン孔３２との係合が解除されて、シリンダー錠Ｓ１は解錠状態となり、この解錠状態で、鍵Ｋは鍵孔３０内でシリンダーケース２の内周面に押え込まれるプラグ３のドライバーピン３４に係合されて、引き抜き不可能に拘束されるので、シリンダー錠Ｓ１の施錠後は鍵孔３０から鍵Ｋを抜くことができ、シリンダー錠Ｓ１の解錠後は鍵孔３０から鍵Ｋを抜くことができなくなり、シリンダー錠Ｓ１に鍵Ｋが残っている限り、シリンダー錠Ｓ１は解錠状態になっていることが視覚的に明確となり、鍵Ｋの掛け忘れを確実に防止することができる。
【００２１】
また、このプッシュ式ロック装置Ｍでは、手前側の扉と奥側の扉とのロック状態は、ロックシャフト３１がケース１のロックシャフト挿通穴１０から突出してロック穴に挿通された状態で、シリンダーケース２のロックピン２４とプラグ３のピン孔３２との係合、シリンダーケース２の止めねじ２６とプラグ３の止めねじ周方向ガイド溝３５とのこの止めねじ周方向ガイド溝３５の始端での係合、及びケース１のストッパーピン１３とプラグ３のストッパーピンガイド溝３６の周方向溝３６１とのこの周方向溝３６１の始端での係合により、ケース１内でシリンダー錠Ｓ１の回転及びプラグ３の軸方向の移動を規制され、この手前側の扉と奥側の扉とのロック状態で、鍵Ｋは、鍵孔３０に抜き差し可能とし、この手前側の扉と奥側の扉とのロック状態から、鍵Ｋをシリンダー錠Ｓ１の鍵孔３０に挿入することで、プラグ３が回動可能となり、プラグ３を、シリンダーケース２の止めねじ２６とプラグ３の止めねじ周方向ガイド溝３５との係合案内、及びケース１のストッパーピン１３とプラグ３のストッパーピンガイド溝３６の周方向溝３６１との係合案内により、所定の角度（時計回り方向に５５度）まで回動することにより、ケース１のストッパーピン１３がプラグ３のストッパーピンガイド溝３６の周方向溝３６１の終端に達し、ケース１内のシリンダー錠Ｓ１は、ケース１内のコイルスプリング１４の付勢力と、ケース１のストッパーピン１３とプラグ３のストッパーピンガイド溝３６の軸方向溝３６２との係合案内、及びケース１の止めねじ軸方向ガイドスリット１８と止めねじ２６との係合案内により、シリンダー錠Ｓ１の他端部側がケース１の開口から突出されるとともに、シリンダー錠Ｓ１のロックシャフト３１がケース１側に後退されて、ロックシャフト３１とロック穴とのロック状態が解除され、このロックが解除された状態で、鍵Ｋは、鍵孔３０内でシリンダーケース２の内周面に押え込まれるプラグ３のドライバーピン３４に係合し、引き抜き不可能に拘束されるので、手前側の扉と奥側の扉がロックされている状態ではシリンダー錠Ｓ１の鍵孔３０から鍵Ｋを抜くことができ、手前側の扉と奥側の扉とのロックが解除されている状態ではシリンダー錠Ｓ１の鍵孔３０から鍵Ｋを抜くことができなくなり、シリンダー錠Ｓ１の鍵孔３０に鍵Ｋが残っている限り、手前側の扉と奥側の扉とのロックが解除されている状態が視覚的に明確となり、鍵Ｋの掛け忘れを確実に防止することができる。
したがって、このプッシュ式ロック装置Ｍを、劇薬を含む薬品を保管するスライド扉型の薬品保管庫や、高セキュリティが必要なスライドドアの施錠に使用することで、鍵を管理する管理者の鍵の掛け忘れを確実に防止することができる。
【符号の説明】
【００２２】
Ｍ  プッシュ式ロック装置
１  ケース
１０  ロックシャフト挿通穴
１１  一端面
１２  孔（ストッパーピン孔）
１３  ストッパーピン
１４  ばね部材（コイルスプリング）
１５  ねじ挿通部
１６  他端面
１７  外周面
１８  スリット（止めねじ軸方向ガイドスリット）
Ｓ１  シリンダー錠
２  シリンダーケース
２０  開口
２０１  一端面
２０２  孔（スプリング孔）
２０３  ガイドピン
２１  中空部
２２  ピン孔
２３  ばね部材（コイルスプリング）
２４  ロックピン
２５  ねじ孔
２６  止めねじ
３  プラグ
３０  鍵孔
３１  ロックシャフト
３２  ピン孔
３４  ドライバーピン
３５  溝（止めねじ周方向ガイド溝）
３６  溝（ストッパーピンガイド溝）
３６１  溝（周方向溝）
３６２  溝（軸方向溝）
４  ばね部材（コイルスプリング）
Ｋ  鍵
ｋ１  ブレード
Ｌ  シェアライン
Ｄ  スライド扉
ｄ１  手前側（前側）の扉
ｄ２  奥側（後側）の扉
Ｐ  ロック穴
【図１】
2015117499.tif 000003
【図２】
2015117499.tif 000004
【図３】
2015117499.tif 000005
【図４】
2015117499.tif 000006
【図５】
2015117499.tif 000007
【図６】
2015117499.tif 000008
【図７】
2015117499.tif 000009
【図８】
2015117499.tif 000010
【図９】
2015117499.tif 000011
【図１０】
2015117499.tif 000012
【図１１】
2015117499.tif 000013
【図１２】
2015117499.tif 000014
【図１３】
2015117499.tif 000015
【図１４】
2015117499.tif 000016